(57)【要約】【課題】表示パネルにおいて、フリッカの発生および表示面の始端側と終端側の表示領域でのクロストークの発生量の違いを低減させることができる表示制御装置を提供する。【解決手段】表示制御装置は、入力された複数のフレームのそれぞれの画像データを、複数の表示領域のそれぞれに、第１の方向に順に書き込むデータ書き込み部と、複数の照明光源を、複数のフレームのそれぞれに対応するフレーム表示期間内であって、かつ、データ書き込み部が対応する表示領域に対応するフレームの画像データを書き込んでから次のフレームの画像データを書き込むまでの期間内に点灯させる照明光源制御部とを備える。データ書き込み部は、複数フレームのそれぞれの画像データの複数の表示領域への書き込みを、複数の表示領域の内の第１の方向の終端近傍の少なくとも１つの表示領域から開始し、その後、第１の方向の始端の表示領域から少なくとも１つの表示領域の直前の表示領域まで順に行う。【選択図】図２
2014164215.tif 000002
【特許請求の範囲】
【請求項１】
第１の方向に分割した複数の表示領域を有する表示面と、該複数の表示領域のそれぞれに対応して前記第１の方向に配列され、それぞれが対応する表示領域を照明する複数の照明光源とを備えた表示パネルに、入力される複数のフレームの画像データに応じた画像を表示させる表示制御装置であって、
前記入力された複数のフレームのそれぞれの画像データを、前記複数の表示領域のそれぞれに、前記第１の方向に順に書き込むデータ書き込み部と、
前記複数の照明光源を、前記複数のフレームのそれぞれに対応するフレーム表示期間内であって、かつ、前記データ書き込み部が対応する表示領域に対応するフレームの画像データを書き込んでから次のフレームの画像データを書き込むまでの期間内に点灯させる照明光源制御部とを備え、
前記データ書き込み部が、前記複数フレームのそれぞれの画像データの前記複数の表示領域への書き込みを、前記複数の表示領域の内の前記第１の方向の終端近傍の少なくとも１つの表示領域から開始し、その後、前記第１の方向の始端の表示領域から前記少なくとも１つの表示領域の直前の表示領域まで順に行うことを特徴とする表示制御装置。
【請求項２】
前記照明光源制御部は、前記始端の表示領域から前記直前の表示領域までに対応する第１の部分の照明光源を、前記第１の方向に順に第１の遅延時間ずつ遅らせて点灯させ、前記少なくとも１つの表示領域に対応する照明光源を、前記直前の表示領域に対応する照明光源が点灯する以前に点灯させることを特徴とする請求項１記載の表示制御装置。
【請求項３】
前記データ書き込み部は、前記複数のフレームのそれぞれの画像データを、前記少なくとも１つの表示領域から前記直前の表示領域まで連続して書き込むことを特徴とする請求項１または２記載の表示制御装置。
【請求項４】
前記少なくとも１つの表示領域に前記データ書き込み部が画像データを書き込んでから前記照明光源制御部が対応する照明光源を点灯するまでの待機時間が、前記始端の表示領域から前記直前の表示領域までに前記データ書き込み部が画像データを書き込んでから前記照明光源制御部が対応する照明光源を点灯するまでの待機時間のいずれよりも、長いことを特徴とする請求項１ないし３のいずれかに記載の表示制御装置。
【請求項５】
前記複数のフレームは、左目用フレームと右目用フレームとを交互に含むことを特徴とする請求項１ないし４のいずれかに記載の表示制御装置。
【発明の詳細な説明】
【技術分野】
【０００１】
本発明は、液晶パネルなどの表示パネルへの３Ｄ（３次元）画像の表示を制御する表示制御装置に関するものである。
【背景技術】
【０００２】
３Ｄ画像を表示パネルで表示する場合、表示面に、１または２以上のフレーム期間ごとに左目用の画像と右目用の画像とを交互に表示する。そして、表示面を垂直方向に複数に分割した表示領域毎にバックライトを設け、１フレーム時間毎に、それぞれの表示領域に対応する画像データを順次書き込み、表示素子が応答するために必要な時間が経過してから、それぞれの表示領域に対応するバックライトを順次点灯することが一般的である（特許文献１参照）。
【０００３】
そして、表示パネルの表示面に左目用および右目用の画像を交互に表示するのに同期して、表示面に左目用の画像を表示している期間にはシャッター眼鏡の左目用のシャッターのみを開き、表示面に右目用の画像を表示している期間にはシャッター眼鏡の右目用のシャッターのみを開くように、シャッターの開閉を制御することにより、シャッター眼鏡を装着したユーザに対して３Ｄ画像を表示することができる。
【０００４】
３Ｄ画像を表示パネルで表示する場合、表示素子の応答速度に起因して左目用および右目用の画像が混ざって表示されると、３Ｄ画像に、直前のフレームの画像（現在のフレームで左目用（右目用）の画像を表示する場合、右目用（左目用）の画像）の影響が残ることによるクロストークが発生することが知られている。
これに対し、表示制御装置では、表示パネルのバックライトスキャンなどを工夫してクロストークを低減する方法が一般的に用いられている。
【０００５】
以下、図４に示す概念図を参照して、従来の表示制御装置における複数のバックライトのそれぞれの点灯遅延時間について説明する。
同図は、表示パネルの表示面を垂直方向に８分割した８つの表示領域Ａ０〜Ａ７のそれぞれに対応して、表示領域Ａ０〜Ａ７のそれぞれを照明するバックライトＢＬ０〜ＢＬ７が設けられている場合の、バックライトＢＬ０〜ＢＬ７のそれぞれの点灯遅延時間を表したものである。
【０００６】
１フレーム時間ｔＦｒａｍｅは、画像のフレームレートに応じて決定される固定値である。この例では、１２０フレーム／秒のフレームレートであり、１フレーム時間ｔＦｒａｍｅは、ｔＦｒａｍｅ＝１／１２０≒８．３３ｍｓである。
【０００７】
表示領域Ａ０〜Ａ７のそれぞれに対応する画像データは、フレームの開始からその次のフレームの開始までの間に、この順番で書き込まれる（書き換えられる）。
表示領域Ａ０〜Ａ７の全ての画像データの書き込みに要する時間ｔＤａｔａは、この例では、表示パネルの表示面が、水平ブランキング領域の８０画素を含めて２０００×１０８０画素で構成され、３３０ＭＨｚの書き込みクロックで画像データを書き込むとして、ｔＤａｔａ＝（２０００×１０８０）／（３３０×１０６）≒６．５５ｍｓである。従って、表示領域Ａ０〜Ａ７のそれぞれに対応する画像データの書き込みに要する時間ｔＰｂは、ｔＰｂ＝ｔＤａｔａ／８＝６．５５／８≒０．８２ｍｓである。
【０００８】
ブラックアウトの期間（シャッター眼鏡の応答期間）ｔＢｏｕｔは、シャッター眼鏡の左目用のシャッターと右目用のシャッターとを切り替える期間である。この期間には、クロストークの発生を防止するため、左目用の画像と右目用の画像とのいずれも表示されないように、全てのバックライトＢＬ０〜ＢＬ７が消灯される。ブラックアウトの最短期間は、シャッター眼鏡の特性によって決定される固定値である。この例では、ブラックアウトの期間ｔＢｏｕｔは、フレームの開始から最短期間の２ｍｓに設定されている。つまり、１フレーム時間ｔＦｒａｍｅ内でバックライトＢＬ０〜ＢＬ７が点灯される期間ｔＬｏｎは、ｔＬｏｎ＝ｔＦｒａｍｅ−ｔＢｏｕｔ＝８．３３−２＝６．３３ｍｓである。
【０００９】
バックライトＢＬ０〜ＢＬ７のそれぞれは、ブラックアウトの期間ｔＢｏｕｔが終了してからその次のブラックアウトの期間ｔＢｏｕｔが開始されるまでの間に、かつ、フレームの対応する表示領域Ａ１〜Ａ７の画像データの書き込みが終了してから次のフレームの対応する表示領域Ａ１〜Ａ７の画像データの書き込みが開始される前までの間に、この順番で均等な時間ｔＬｆずつ順次点灯される（バックライトスキャン）。
それぞれのバックライトを順次短時間ずつ点灯すると、全てのバックライトを同時に点灯する場合よりも光量が低下するため、バックライトを構成するＬＥＤ（発光ダイオード）に流す電流量を増加させることによって光量を上げることが行われている。バックライトＢＬ０〜ＢＬ７のそれぞれの点灯時間ｔＬｆは、必要なＬＥＤの光量と、ＬＥＤの仕様によって決められる最大許容電流値とによって決定される。この例では、１フレーム時間に対してそれぞれのバックライトＢＬ０〜ＢＬ７が点灯される時間のデューティは２０％であり、点灯時間ｔＬｆは、ｔＬｆ＝ｔＦｒａｍｅ×０．２＝８．３３×０．２≒１．６７ｍｓである。
【００１０】
１つの表示領域に対応するバックライトが点灯されてから次の順番のバックライトが点灯されるまでの遅延時間ｔＩｎｔがばらついていると、クロストークやフリッカが目立つ。従って、遅延時間ｔＩｎｔが均等になるように設定する必要がある。この例では、前述のように、１フレーム時間ｔＦｒａｍｅ≒８．３３ｍｓ、ブラックアウトの期間ｔＢｏｕｔ＝２ｍｓ、バックライトＢＬ０〜ＢＬ７のそれぞれの点灯時間ｔＬｆ≒１．６７ｍｓである。従って、遅延時間ｔＩｎｔは、ｔＩｎｔ＝（ｔＦｒａｍｅ−ｔＢｏｕｔ−ｔＬｆ）／７＝（８．３３−２−１．６７）／７≒０．６７ｍｓである。
【００１１】
図４に示すように、バックライトＢＬ０〜ＢＬ２には同時に点灯している期間ｔＬｄが存在する。この例では、ｔＬｄ＝ｔＬｆ−ｔＩｎｔ×２＝１．６７−０．６７×２＝０．３３ｍｓである。他のバックライト同士の場合も同様である。
バックライト同士が同時に点灯している期間ｔＬｄが長くなるほど、広い面積（３つの連続する表示領域）でバックライトが点灯する時間が長くなり、人間の目にはフリッカが強く感じられるという問題点がある。
【００１２】
続いて、表示領域Ａ０〜Ａ７のそれぞれに対応する画像データの書き込みが終了してから、対応するバックライトＢＬ０〜ＢＬ７のそれぞれが点灯されるまでの点灯遅延時間を計算した結果を表１に示す。
【００１３】
【表１】
2014164215.tif 000003
【００１４】
前述のように、ブラックアウトの期間ｔＢｏｕｔは、フレームの開始から２ｍｓである。
例えば、表示領域Ａ０に対応する画像データの書き込みが終了するのは、フレームの開始から時間ｔＰｂ≒０．８２ｍｓ後である。従って、表示領域Ａ０への画像データの書き込みが終了してから、表示領域Ａ０に対応するバックライトＢＬ０が点灯されるまでの点灯遅延時間ｔＬｄｅｌ０は、表１に示すように、ｔＬｄｅｌ０＝（ｔＢｏｕｔ−ｔＰｂ）＝（２−０．８２）≒１．１８ｍｓである。
【００１５】
前述のように、１つの表示領域に対応するバックライトが点灯されてから次の順番のバックライトが点灯されるまでの遅延時間ｔＩｎｔは、ｔＩｎｔ≒０．６７ｍｓである。
表示領域Ａ１に対応する画像データの書き込みが終了するのは、フレームの開始から時間ｔＰｂ×２≒０．８２×２≒１．６４ｍｓ後である。従って、表示領域Ａ１への画像データの書き込みが終了してから、表示領域Ａ１に対応するバックライトＢＬ１が点灯されるまでの点灯遅延時間ｔＬｄｅｌ１は、表１に示すように、ｔＬｄｅｌ１＝ｔＬｄｅｌ０−（ｔＰｂ×２−ｔＰｂ）＋ｔＩｎｔ＝（１．１８−（１．６４−０．８２））＋０．６７≒１．０３ｍｓである。
【００１６】
表示領域Ａ２〜Ａ７に対応するバックライトＢＬ２〜ＢＬ７の点灯遅延時間ｔＬｄｅｌ２〜ｔＬｄｅｌ７も同様にして、表１に示すように計算することができる。
【００１７】
表１の結果から、バックライトＢＬ０〜ＢＬ７のそれぞれの点灯遅延時間ｔＬｄｅｌ０〜ｔＬｄｅｌ７は、表示パネルの表示面の始端側の表示領域と終端側の表示領域とでは大きな違いがあることが分かる。
表示パネルの表示素子の応答時間は、表示面の始端側と終端側ともに同じであるから、点灯遅延時間ｔＬｄｅｌ、つまり、バックライトを点灯した時点における表示素子の応答余裕時間は、終端側の表示素子の方が始端側の表示素子よりも短いことが分かる。
例えば、終端の表示領域Ａ７は、始端の表示領域Ａ０と比較して、応答余裕時間が短く、両者の間の応答余裕時間には約１ｍｓの違いがある。従って、終端側の表示領域では、始端側の表示領域に比較してクロストークの発生量が大きくなる。クロストークの発生量を低減するために、例えば特許文献２に記載されたように、直前のフレームの画像データとの差異を強調するオーバードライブが行われる。しかし、応答余裕時間の違いが大きいと、オーバードライブを行ってもクロストーク発生量の違いを小さくすることが困難であるという問題があった。
【先行技術文献】
【特許文献】
【００１８】
【特許文献１】特開２０１１−２０９６５６号公報
【特許文献２】特開２０１１−２０５１８６号公報
【発明の概要】
【発明が解決しようとする課題】
【００１９】
本発明の目的は、前記従来技術の問題点を解消し、表示パネルにおいて、フリッカの発生および表示面の始端側と終端側の表示領域でのクロストークの発生量の違いを低減させることができる表示制御装置を提供することにある。
【課題を解決するための手段】
【００２０】
上記目的を達成するために、本発明は、第１の方向に分割した複数の表示領域を有する表示面と、該複数の表示領域のそれぞれに対応して前記第１の方向に配列され、それぞれが対応する表示領域を照明する複数の照明光源とを備えた表示パネルに、入力される複数のフレームの画像データに応じた画像を表示させる表示制御装置であって、
前記入力された複数のフレームのそれぞれの画像データを、前記複数の表示領域のそれぞれに、前記第１の方向に順に書き込むデータ書き込み部と、
前記複数の照明光源を、前記複数のフレームのそれぞれに対応するフレーム表示期間内であって、かつ、前記データ書き込み部が対応する表示領域に対応するフレームの画像データを書き込んでから次のフレームの画像データを書き込むまでの期間内に点灯させる照明光源制御部とを備え、
前記データ書き込み部が、前記複数フレームのそれぞれの画像データの前記複数の表示領域への書き込みを、前記複数の表示領域の内の前記第１の方向の終端近傍の少なくとも１つの表示領域から開始し、その後、前記第１の方向の始端の表示領域から前記少なくとも１つの表示領域の直前の表示領域まで順に行うことを特徴とする表示制御装置を提供するものである。
【００２１】
ここで、前記照明光源制御部は、前記始端の表示領域から前記直前の表示領域までに対応する第１の部分の照明光源を、前記第１の方向に順に第１の遅延時間ずつ遅らせて点灯させ、前記少なくとも１つの表示領域に対応する照明光源を、前記直前の表示領域に対応する照明光源が点灯する以前に点灯させることが好ましい。
【００２２】
また、前記データ書き込み部は、前記複数のフレームのそれぞれの画像データを、前記少なくとも１つの表示領域から前記直前の表示領域まで連続して書き込むことが好ましい。
【００２３】
また、前記少なくとも１つの表示領域に前記データ書き込み部が画像データを書き込んでから前記照明光源制御部が対応する照明光源を点灯するまでの待機時間が、前記始端の表示領域から前記直前の表示領域までに前記データ書き込み部が画像データを書き込んでから前記照明光源制御部が対応する照明光源を点灯するまでの待機時間のいずれよりも、長いことが好ましい。
【００２４】
また、前記複数のフレームは、左目用フレームと右目用フレームとを交互に含むことが好ましい。
【発明の効果】
【００２５】
本発明によれば、照明光源同士が同時に点灯している期間を短縮することができるため、フリッカの発生を低減させることができる。また、本発明によれば、表示領域への画像データの書き込みが終了してから、対応する照明光源が点灯されるまでの点灯遅延時間（待機時間）の、始端側の表示領域と終端側の表示領域との違いを小さくすることができる。このため、始端側の表示領域と終端側の表示領域とのクロストークの発生量をほぼ一致させることが容易になる。
【図面の簡単な説明】
【００２６】
【図１】本発明の表示制御装置を適用した画像表示装置の構成を表す一実施形態の概念図である。
【図２】図１に示す表示制御装置において、表示領域に対応する画像データの書き込みが終了してから、対応するバックライトが点灯するまでの点灯遅延時間を表す概念図である。
【図３】（Ａ）および（Ｂ）は、それぞれ、従来および図１に示す本実施形態の表示制御装置において、複数の表示領域のそれぞれに対応する画像データが書き込まれる様子を表す概念図である。
【図４】従来の表示制御装置において、表示領域に対応する画像データの書き込みが終了してから、対応するバックライトが点灯するまでの点灯遅延時間を表す概念図である。
【発明を実施するための形態】
【００２７】
以下に、添付の図面に示す好適実施形態に基づいて、本発明の表示制御装置を詳細に説明する。
【００２８】
図１は、本発明の表示制御装置を適用した画像表示装置の構成を表す一実施形態の概念図である。同図に示す画像表示装置１０は、１フレーム時間毎に、左目用および右目用の画像を交互に表示し、かつ、左目用および右目用の画像の表示に同期して、シャッター眼鏡の左目用および右目用のシャッターの開閉を制御することにより、３Ｄ表示を行うものである。
画像表示装置１０は、表示パネル１２と、表示制御装置１４と、シャッター眼鏡１６とによって構成されている。
【００２９】
画像表示装置１０は、入力される画像データが２Ｄ（２次元）画像に対応するものである場合には２Ｄ画像を表示し、３Ｄ（３次元）画像に対応するものである場合には３Ｄ画像を表示する。
２Ｄ画像の表示を行う場合、入力される複数のフレームのそれぞれは、２Ｄ画像のフレームであり、１フレーム時間毎に、それぞれのフレームの画像が表示パネル１２の表示面に順次表示される。
一方、３Ｄ画像の表示を行う場合、入力される複数のフレームのそれぞれは、３Ｄ画像の左目用フレームと右目用フレームとを交互に含むものであり、１フレーム時間毎に、左目用および右目用の画像が表示パネル１２の表示面に交互に表示される。
【００３０】
以下、３Ｄ画像を表示する場合を主として説明する。２Ｄ画像を表示する場合は、従来の画像表示装置に適用されている２Ｄ画像の表示手段および表示方法がいずれも利用可能である。
【００３１】
表示パネル１２は、例えば、液晶パネルなどのように、多数の表示素子をマトリクス状に配列して構成されたものであり、入力される複数のフレームの画像データＤＡＴＡに応じたそれぞれのフレームの画像を順次表示させる。
【００３２】
表示パネル１２は、第１の方向に分割した複数の表示領域を有する表示面と、それぞれ第１の方向に直交する第２の方向に延在し、複数の表示領域のそれぞれに対応して第１の方向に配列され、それぞれ対応する表示領域を照明する複数の照明光源とを備えている。
本実施形態の場合、表示パネル１２は、垂直方向（図１中、上下方向）に８分割した８つの表示領域Ａ０〜Ａ７を有する表示面と、それぞれ水平方向（図１中、左右方向）に延在し、表示領域Ａ０〜Ａ７のそれぞれに対応して垂直方向に配列され、それぞれ対応する表示領域Ａ０〜Ａ７を表示面の裏面側から照明する８つのバックライトＢＬ０〜ＢＬ７とを備えている。
【００３３】
続いて、表示制御装置１４は、表示パネル１２およびシャッター眼鏡１６の動作を制御するものであり、データ書き込み部１８と、照明光源制御部２０と、シャッター眼鏡制御部２２とを備えている。
【００３４】
データ書き込み部１８は、入力された複数のフレームのそれぞれの画像データを、複数の表示領域のそれぞれに、第１の方向に順に書き込む。
表示領域への画像データの書き込み（書き換え）は、１フレーム時間毎に、左目用および右目用の画像の画像データについて交互に行われる。
また、データ書き込み部１８は、複数フレームのそれぞれの画像データの複数の表示領域への書き込みを、複数の表示領域の内の第１の方向の終端近傍の少なくとも１つの表示領域から開始し、その後、第１の方向の始端の表示領域から前述の終端近傍の少なくとも１つの表示領域の直前の表示領域まで順に行う。また、データ書き込み部１８は、複数のフレームのそれぞれの画像データを、前述の終端近傍の少なくとも１つの表示領域からその直前の表示領域まで連続して書き込む。
【００３５】
続いて、照明光源制御部２０は、複数の照明光源を、複数のフレームのそれぞれに対応するフレーム表示期間内であって、かつ、データ書き込み部が対応する表示領域に対応するフレームの画像データを書き込んでから次のフレームの画像データを書き込むまでの期間内に点灯させる。
また、照明光源制御部２０は、始端の表示領域から前述の終端近傍の少なくとも１つの表示領域の直前の表示領域までに対応する第１の部分の照明光源を、第１の方向に順に第１の遅延時間ずつ遅らせて点灯させ、前述の終端近傍の少なくとも１つの表示領域に対応する照明光源を、その直前の表示領域に対応する照明光源が点灯する以前に点灯させる。
【００３６】
シャッター眼鏡制御部２２は、表示パネル１２における左目用および右目用の画像の表示に同期して、シャッター眼鏡１６の左目用および右目用のシャッターの開閉を制御する。
【００３７】
最後に、シャッター眼鏡１６は、ユーザが３Ｄ画像を閲覧する場合に装着するものであり、表示パネル１２における左目用および右目用の画像の表示に同期して、表示パネル１２の表示面に左目用の画像が表示される期間にはシャッター眼鏡１６の左目用のシャッターのみが開き、表示面に右目用の画像が表示される期間には右目用のシャッターのみが開くように、その左目用および右目用のシャッターの開閉が制御される。
【００３８】
次に、画像表示装置１０の動作を説明する。
【００３９】
データ書き込み部１８には、外部から、フレームの開始を表す垂直同期信号Ｖｓｙｎｃ、画像データＤＡＴＡ、および、有効な画像データＤＡＴＡが入力される期間を表すデータイネーブル信号ＤＥが入力される。
データ書き込み部１８は、３Ｄ画像を表示する場合、垂直同期信号Ｖｓｙｎｃおよびデータイネーブル信号ＤＥに基づいて、１フレーム時間毎に、左目用および右目用の画像の画像データＤＡＴＡを交互に、表示領域Ａ０〜Ａ７に書き込む。このとき、画像データＤＡＴＡの書き込みを、終端の表示領域Ａ７から開始し、その後、始端の表示領域Ａ０から表示領域Ａ６まで順に連続して書き込む。
【００４０】
図３（Ａ）に示すように、従来の表示制御装置の場合、第１のフレームでは、左目用の画像Ｌ０の表示領域Ａ０〜Ａ７の画像データが書き込まれ、続く第２のフレームでは、右目用の画像Ｒ０の表示領域Ａ０〜Ａ７の画像データが書き込まれる。これ以後はこの繰り返しである。
これに対し、同図（Ｂ）に示すように、本実施形態の表示制御装置１４の場合、第１のフレームでは、左目用の画像Ｌ０の表示領域Ａ０〜Ａ６の画像データが書き込まれた後、次のフレームの右目用の画像Ｒ０の表示領域Ａ７の画像データが書き込まれる。続く第２のフレームでは、右目用の画像Ｒ０の表示領域Ａ０〜Ａ６の画像データが書き込まれた後、次のフレームの左目用の画像Ｌ１の表示領域Ａ７の画像データが書き込まれる。これ以後はこの繰り返しである。
【００４１】
続いて、照明光源制御部２０には、データ書き込み部１８から、垂直同期信号Ｖｓｙｎｃに相当し、フレームの開始を表す垂直同期信号Ｖｓ、および、データイネーブル信号ＤＥから生成され、ラインの開始を表す水平同期信号Ｈｓが入力される。
照明光源制御部２０は、垂直同期信号Ｖｓおよび水平同期信号Ｈｓに基づいて、バックライトＢＬ０〜ＢＬ７を、それぞれのフレーム表示期間内であって、かつ、表示領域Ａ０〜Ａ７に対応するフレームの画像データの書き込みが終了してから、次のフレームの画像データの書き込みが開始されるまでの期間内に点灯させるバックライト制御信号ＢＬＣ０〜ＢＬＣ７を生成する。
【００４２】
表示パネル１２には、表示制御装置１４から、垂直同期信号Ｖｓ、水平同期信号Ｈｓ、画像データＤＡＴＡ、および、バックライト制御信号ＢＬＣ０〜ＢＬＣ７が入力される。
表示パネル１２には、垂直同期信号Ｖｓおよび水平同期信号Ｈｓに基づいて決まるタイミングで、入力される複数のフレームの画像データＤＡＴＡが書き込まれるとともに、バックライト制御信号ＢＬＣ０〜ＢＬＣ７に応じて、バックライトＢＬ０〜ＢＬ７を点灯する。このとき、バックライトＢＬ０〜ＢＬ６を、垂直方向に順に所定の遅延時間ずつ遅らせて点灯させる。また、バックライトＢＬ７を、バックライトＢＬ０と同時に点灯させる。
【００４３】
同様に、シャッター眼鏡制御部２２には、データ書き込み部１８から、垂直同期信号Ｖｓおよび水平同期信号Ｈｓが入力される。
シャッター眼鏡制御部２２は、垂直同期信号Ｖｓおよび水平同期信号Ｈｓに基づいて、表示パネル１２における左目用および右目用の画像の表示に同期して、シャッター眼鏡１６の左目用および右目用のシャッターの開閉を制御するシャッター制御信号ＳＣを生成する。
【００４４】
シャッター眼鏡１６には、シャッター眼鏡制御部２２から、シャッター制御信号ＳＣが入力される。
シャッター眼鏡１６は、シャッター制御信号ＳＣに基づいて、表示パネル１２における左目用および右目用の画像の表示に同期して、左目用および右目用のシャッターの開閉を制御する。これにより、シャッター眼鏡１６を装着したユーザに対して３Ｄ画像を表示することができる。
【００４５】
次に、図２に示す概念図を参照して、本実施形態の表示制御装置１４における複数のバックライトのそれぞれの点灯遅延時間について説明する。
同図は、図１に示す画像表示装置１０において、表示領域Ａ０〜Ａ７のそれぞれに対応して設けられているバックライトＢＬ０〜ＢＬ７のそれぞれの点灯遅延時間を表したものである。
【００４６】
１フレーム時間ｔＦｒａｍｅは、図４に示す従来例と同様に、１２０フレーム／秒のフレームレートであり、ｔＦｒａｍｅ＝１／１２０≒８．３３ｍｓである。
【００４７】
表示領域Ａ０〜Ａ７のそれぞれに対応する画像データは、各フレーム時間ｔＦｒａｍｅの開始よりも、１つの表示領域に対応する画像データの書き込みに要する時間ｔＰｂだけ前から前述の図３（Ｂ）に示すように、表示領域Ａ７，Ａ０〜Ａ６のそれぞれに対応する画像データの順番で書き込まれる。
表示領域Ａ７，Ａ０〜Ａ６の全ての画像データの書き込みに要する時間ｔＤａｔａは、図４に示す従来例と同様に、表示パネルの表示面が、水平ブランキング領域の８０画素を含めて２０００×１０８０画素で構成され、３３０ＭＨｚの書き込みクロックで画像データを書き込むとして、ｔＤａｔａ＝（２０００×１０８０）／（３３０×１０６）≒６．５５ｍｓである。従って、表示領域Ａ７，Ａ０〜Ａ６のそれぞれに対応する画像データの書き込みに要する時間ｔＰｂは、ｔＰｂ＝ｔＤａｔａ／８＝６．５５／８≒０．８２ｍｓである。
【００４８】
ブラックアウトの期間ｔＢｏｕｔは、この例では、フレームの開始よりも時間（シャッター眼鏡のシャッターの切り換えのフロントポーチ）ｔＧｆｐ＝０．８ｍｓだけ前から開始され、次のフレームの開始から時間（シャッター眼鏡のシャッターの切り換えのバックポーチ）ｔＧｂｐ＝１．２ｍｓまでの間の最短期間の２ｍｓに設定されている。つまり、１フレーム時間ｔＦｒａｍｅ内でバックライトＢＬ０〜ＢＬ７が点灯される期間ｔＬｏｎは、図４に示す従来例と同様に、ｔＬｏｎ＝ｔＦｒａｍｅ−ｔＢｏｕｔ＝８．３３−２＝６．３３ｍｓである。
【００４９】
バックライトＢＬ０〜ＢＬ６のそれぞれは、図４に示す従来例と同様に、ブラックアウトの期間ｔＢｏｕｔが終了してからその次のブラックアウトの期間ｔＢｏｕｔが開始されるまでの、バックライトの点灯期間ｔＬｏｎの間に、かつ、フレームの対応する表示領域Ａ０〜Ａ６の画像データの書き込みが終了してから次のフレームの対応する表示領域Ａ０〜Ａ６の画像データの書き込みが開始される前までの間に、この順番で均等な時間ｔＬｆずつ順次点灯される（バックライトスキャン）。
バックライトＢＬ７は、本実施形態の場合、バックライトの点灯期間ｔＬｏｎの間に、かつ、直前のフレームの対応する表示領域Ａ７の画像データの書き込みが終了してから現在のフレームの対応する表示領域Ａ７の画像データの書き込みが開始される前までの間に、バックライトＢＬ０の点灯と同時に同じ時間ｔＬｆだけ点灯される。
この例では、図４に示す従来例と同様に、１フレーム時間に対してそれぞれのバックライトＢＬ０〜ＢＬ７が点灯される時間のデューティは２０％であり、バックライトＢＬ０〜ＢＬ７のそれぞれの点灯時間ｔＬｆは、ｔＬｆ＝ｔＦｒａｍｅ×０．２＝８．３３×０．２≒１．６７ｍｓである。
【００５０】
図４に示す従来例と同様に、遅延時間ｔＩｎｔが均等になるように設定する必要がある。この例では、表示領域Ａ７の画像データを他の表示領域の画像データよりも先に書き込み、この領域に対応するバックライトＢＬ７の点灯タイミングをこれ以外のバックライトＢＬ０〜ＢＬ６の点灯タイミングとは別に設定することを可能にしている。このため、１フレーム時間内に順次点灯させる必要があるバックライトは、ＢＬ７を除いたＢＬ０〜ＢＬ６である。つまり、バックライトの点灯期間ｔＬｏｎを７分割することができる。従って、前述のように、１フレーム時間ｔＦｒａｍｅ≒８．３３ｍｓ、ブラックアウトの期間ｔＢｏｕｔ＝２ｍｓ、バックライトＢＬ０〜ＢＬ７のそれぞれの点灯時間ｔＬｆ≒１．６７ｍｓとすると、遅延時間ｔＩｎｔは、ｔＩｎｔ＝（ｔＦｒａｍｅ−ｔＢｏｕｔ−ｔＬｆ）／６＝（８．３３−２−１．６７）／６≒０．７８ｍｓである。
【００５１】
図２に示すように、バックライトＢＬ０〜ＢＬ２には同時に点灯している期間ｔＬｄが存在する。この例では、ｔＬｄ＝１．６７−０．７８×２＝０．１１ｍｓである。他のバックライト同士の場合も同様である。
表示制御装置１４では、バックライトの点灯期間ｔＬｏｎを７分割することにより、バックライトＢＬ１〜ＢＬ６のそれぞれの点灯遅延時間を、図４に示す従来例よりも遅くできる。このため、バックライト同士が同時に点灯している期間ｔＬｄを短縮することができる。このように、バックライト同士が同時に点灯している期間ｔＬｄが、０．１ｍｓ程度であれば、人間の目はフリッカを感知することができない。
なお、バックライト同士が同時に点灯する数は、表示領域を第１の方向に分割する数に応じて、３に限定されず、２または４以上の場合もある。この数がいずれの場合にも、同時に点灯している期間を短くして、フリッカの発生を抑止することができる。
【００５２】
続いて、表示領域Ａ０〜Ａ６のそれぞれに対応する画像データの書き込みが終了してから、対応するバックライトＢＬ０〜ＢＬ６のそれぞれが点灯されるまでの点灯遅延時間を計算した結果を表２に示す。
なお、表２には、バックライトＢＬ７の点灯遅延時間を記載していない。
【００５３】
【表２】
2014164215.tif 000004
【００５４】
前述のように、ブラックアウトの期間ｔＢｏｕｔは、フレームの開始よりも時間ｔＧｆｐ＝０．８ｍｓだけ前から開始され、次のフレームの開始から時間ｔＧｂｐ＝１．２ｍｓまでの間の２ｍｓである。
例えば、表示領域Ａ０に対応する画像データの書き込みが終了するのは、フレームの開始から時間ｔＰｂ≒０．８２ｍｓ後である。従って、表示領域Ａ０への画像データの書き込みが終了してから、表示領域Ａ０に対応するバックライトＢＬ０が点灯されるまでの点灯遅延時間ｔＬｄｅｌ０は、表２に示すように、ｔＬｄｅｌ０＝（ｔＧｂｐ−ｔＰｂ）＝（１．２−０．８２）＝０．３８ｍｓである。
【００５５】
前述のように、バックライトが点灯されてから次の順番のバックライトが点灯されるまでの遅延時間ｔＩｎｔは、ｔＩｎｔ≒０．７８ｍｓである。
表示領域Ａ１に対応する画像データの書き込みが終了するのは、フレームの開始から時間ｔＰｂ×２≒０．８２×２≒１．６４ｍｓ後である。従って、表示領域Ａ１への画像データの書き込みが終了してから、表示領域Ａ１に対応するバックライトＢＬ１が点灯されるまでの点灯遅延時間ｔＬｄｅｌ１は、表２に示すように、ｔＬｄｅｌ１＝ｔＬｄｅｌ０−（ｔＰｂ×２−ｔＰｂ）＋ｔＩｎｔ＝（０．３８−（１．６４−０．８２））＋０．７８≒０．３４ｍｓである。
【００５６】
表示領域Ａ２〜Ａ６に対応するバックライトＢＬ２〜ＢＬ７の点灯遅延時間ｔＬｄｅｌ２〜ｔＬｄｅｌ６も同様にして、表２のように計算することができる。
【００５７】
表２の結果から、バックライトＢＬ０〜ＢＬ６のそれぞれの点灯遅延時間ｔＬｄｅｌ０〜ｔＬｄｅｌ６の、表示パネルの表示面の始端側の表示領域と終端側の表示領域との差は小さい。
例えば、始端の表示領域Ａ０の応答余裕時間と終端の表示領域Ａ６の応答余裕時間との間には、約０．２４ｍｓの違いしかない。これは、表１に示す従来の表示制御装置の場合に、表示領域Ａ０とＡ７とで応答余裕時間に約１．０５ｍｓの違いがあることに比較すると、はるかに小さな違いである。
【００５８】
従来の表示制御装置では、ブラックアウトの期間ｔＢｏｕｔが終了してからその次のブラックアウトの期間ｔＢｏｕｔが開始されるまでの、バックライトの点灯期間ｔＬｏｎを８分割してバックライトＢＬ０〜ＢＬ７を順次点灯しているのに対して、本実施形態の表示制御装置１４では、同じ点灯期間ｔＬｏｎを擬似的に７分割してバックライトＢＬ０〜ＢＬ６を順次点灯している。
これにより、バックライトＢＬ１〜ＢＬ６のそれぞれの点灯遅延時間が図４に示す従来例よりも長くなる。そのため、前述の表２に示すように、始端側の表示領域と終端側の表示領域との点灯遅延時間の違いを小さくし、バックライトＢＬ０〜ＢＬ６のそれぞれの点灯遅延時間の均等性を従来よりも向上させることができる。
【００５９】
一方、バックライトＢＬ７は、本実施形態の場合にはバックライトＢＬ０と同時に点灯される。バックライトＢＬ０とバックライトＢＬ７とを同時に点灯しても、同時に点灯される表示領域Ａ０，Ａ７が物理的に離れた位置にあるため、人間の目には大きな違和感を生じない。仮に、違和感を生じるとしても、表示領域Ａ７は、表示面の終端部であり、中央部よりも重要な表示は少ないため、大きな問題は発生しないと考えられる。
【００６０】
また、表示領域Ａ７にデータ書き込み部１８が画像データを書き込んでから照明光源制御部２０が対応するバックライトＢＬ７を点灯するまでの点灯遅延時間（待機時間）は、表示領域Ａ０〜Ａ６までにデータ書き込み部１８が画像データを書き込んでから照明光源制御部２０が対応するバックライトＢＬ０〜ＢＬ６を点灯するまでの点灯遅延時間のいずれよりも長い。
【００６１】
また、バックライトＢＬ７の点灯開始タイミングには調整の自由度があり、ブラックアウトの期間ｔＢｏｕｔが終了してから、次のフレームの表示領域Ａ７に対応する画像データの書き込みが開始される前までの間で、最適な点灯開始タイミングを決定することができる。
バックライトＢＬ７の点灯開始タイミングがバックライトＢＬ０の点灯開始タイミングに近くなるほど、両者の点灯領域が物理的に離れた位置になるため、人間の目には違和感を生じなくなる。これに対し、バックライトＢＬ７の点灯開始タイミングがバックライトＢＬ６の点灯開始タイミングに近くなるほど、両者の点灯領域が物理的に近い位置にあるため、人間の目に違和感を生じるようになる。従って、バックライトＢＬ７の点灯開始タイミングは、バックライトＢＬ０の点灯開始タイミングに近い方が望ましい。
【００６２】
また、バックライトＢＬ７の点灯開始タイミングを、バックライトＢＬ０の点灯開始タイミングよりも前に設定することも可能である。
この場合、ブラックアウトの期間ｔＢｏｕｔが終了した直後にバックライトＢＬ７の点灯を開始させ、ブラックアウトの期間ｔＢｏｕｔが終了した直後から、所定の時間だけ遅延させてからバックライトＢＬ０の点灯を開始させる。そして、バックライトＢＬ０の点灯開始タイミングから、次のブラックアウトの期間ｔＢｏｕｔが開始される前までの間を、バックライトＢＬ０〜ＢＬ６で７分割する。
【００６３】
さらに、ブラックアウトの開始タイミングおよびバックライトの点灯開始タイミングは、画像データの書き込みの開始タイミングに対して、全体的に移動させることができる。すなわち、それぞれの表示領域に対応するバックライトの点灯を、それぞれの表示領域への画像データの書き込みが終了してから次のフレームの画像データの書き込みが開始されるまでの間に行うことができる範囲で、全体的に移動させることができる。具体的には、図２に示された例においても、それぞれのフレーム時間ｔＦｒａｍｅ内でバックライトＢＬ０〜ＢＬ７が点灯してそのフレームの画像が表示される期間（フレーム表示期間）は、同一のフレームの画像データがＡ７からＡ０〜Ａ６の順に書き込まれる期間（フレーム書き込み期間）よりも後ろにずれている。これをさらに後ろにずらすように、画像データ書き込みのタイミングに対して、ブラックアウトおよびバックライト点灯のタイミングをさらに遅くすることができる。これにより、バックライトの点灯遅延時間ｔＬｄｅｌを全体的に長くすることができ、表示素子の応答余裕時間を長くすることができる。従って、ブラックアウトおよびバックライト点灯のタイミングを全体的に遅くする方が望ましい。
【００６４】
バックライトＢＬ０〜ＢＬ７の点灯遅延時間は、図４に示す従来例では、表１に示すように、１．１８ｍｓ〜０．１２ｍｓである。例えば、ブラックアウト開始のタイミングを、画像データの書き込みの開始タイミングに対して４ｍｓ遅くすると、バックライトＢＬ０〜ＢＬ７の点灯遅延時間は、５．１８ｍｓ〜４．１２ｍｓとなる。しかし、この場合でも、点灯遅延時間のバラツキは、（５．１８−４．１２）／４．１２＝２５．７％と大きい。このように点灯遅延時間の差が大きいと、オーバードライブ条件を同一にすることができず、例えば、強・弱の２段階にすることはできず、３段階以上に分けることが必要になる。
【００６５】
これに対し、図２に示す本実施形態の場合、表２に示すように、表示領域Ａ０〜Ａ６では、バックライトＢＬ０〜ＢＬ６の点灯遅延時間は、０．３８ｍｓ〜０．１４ｍｓである。この場合、ブラックアウトの開始タイミングを、画像データの書き込みの開始タイミングに対して４ｍｓだけ遅くすると、点灯遅延時間は４．３８ｍｓ〜４．１４ｍｓとなり、バラツキは、（４．３８−４．１４）／４．１４＝５．８％に収まる。このように、点灯遅延時間の差が小さいと、オーバードライブ条件を同一にすることができる。表示領域Ａ７に対しては、ｔＧｂｐ＋４ｍｓ＝５．２ｍｓであり、他の表示領域に比較して長いため、オーバードライブ条件を異ならせる必要がある。しかし、オーバードライブ条件は２段階ですみ、従来に比較して設定を容易にすることができる。
【００６６】
なお、表示パネル１２の表示面が有する表示領域は８つに限定されず、３以上であればよい。
また、画像データの書き込みは、表示領域Ａ７から開始し、続いて、表示領域Ａ０〜Ａ６まで行うことに限定されず、例えば、表示領域Ａ６から開始して、表示領域Ａ７，続いて、表示領域Ａ０〜Ａ５まで行うなど、第１の方向の終端近傍の少なくとも１つの表示領域から開始することができる。
【００６７】
本発明は、基本的に以上のようなものである。
以上、本発明について詳細に説明したが、本発明は上記実施形態に限定されず、本発明の主旨を逸脱しない範囲において、種々の改良や変更をしてもよいのはもちろんである。
【符号の説明】
【００６８】
１０  画像表示装置
１２  表示パネル
１４  表示制御装置
１６  シャッター眼鏡
１８  データ書き込み部
２０  照明光源制御部
２２  シャッター眼鏡制御部
【図１】
2014164215.tif 000005
【図２】
2014164215.tif 000006
【図３】
2014164215.tif 000007
【図４】
2014164215.tif 000008